(57)【要約】【課題】担当する患者又は被介護者のリストを各医療スタッフが簡単かつ明確に確認できるようにし、これにより業務引継時の担当患者又は被介護者の確認を簡単かつ明確に効率良く行うことを可能とする。【解決手段】ナースコール親機２に、看護師の担当患者を設定するための担当設定制御プログラム２１ａと、担当患者リスト表示制御プログラム２１ｂとをインストールしておき、担当設定画面において看護師の手操作により入力された看護師とその担当患者との対応関係を示す情報を患者情報データベース２２ａに記憶する。そして、看護師別担当患者の表示指示操作が行われた場合に、患者情報データベース２２ａから当該看護師が担当する患者の識別情報を読み出し、この読み出された患者のリストを表す患者一覧画面情報をタッチパネル／表示器２７１に表示するようにしたものである。【選択図】      図２
2005244581.tif 000002
【特許請求の範囲】
【請求項１】
患者又は被介護者の呼出操作に応じて呼出子機から送信される呼出信号を受信し、この呼出信号の受信に応じて呼出報知動作を行う機能を備えたナースコール親機において、
前記患者又は被介護者と当該患者又は被介護者を担当する医療スタッフとの対応関係を表す情報を記憶する担当情報記憶手段と、
担当リストの表示指示が医療スタッフの識別情報と共に入力された場合に、前記入力された医療スタッフの識別情報をもとに前記担当情報記憶手段から当該医療スタッフが担当する患者又は被介護者を表す情報を読み出す手段と、
前記読み出された患者又は被介護者を表す情報をもとに、前記医療スタッフが担当する患者又は被介護者のリスト情報を作成して表示する手段と
を具備することを特徴とするナースコール親機。
【請求項２】
前記患者又は被介護者と当該患者又は被介護者を担当する医療スタッフとの対応関係を指定する情報の入力を受け付ける手段と、
前記入力された対応関係を指定する情報をもとに、前記担当情報記憶手段に記憶されている情報を更新する手段と
を、さらに具備することを特徴とする請求項１記載のナースコール親機。
【請求項３】
医療スタッフのスケジュールを表す情報を記憶する手段と、
患者又は被介護者に係わる情報を記憶する手段と、
前記記憶された医療スタッフのスケジュールを表す情報と、前記記憶された患者又は被介護者に係わる情報とに基づいて、前記患者又は被介護者と当該患者又は被介護者を担当する医療スタッフとの対応関係を表す情報を作成する手段と、
前記作成された対応関係を表す情報をもとに、前記担当情報記憶手段に記憶されている情報を更新する手段と
を、さらに具備することを特徴とする請求項１記載のナースコール親機。
【請求項４】
前記対応関係を表す情報を作成する手段は、予め設定された日時になったとき、或いは前記記憶された医療スタッフのスケジュール及び患者又は被介護者に係わる情報の少なくとも一方が変更になったときに、前記患者又は被介護者と当該患者又は被介護者を担当する医療スタッフとの対応関係を表す情報を作成することを特徴とする請求項３記載のナースコール親機。
【請求項５】
前記リスト情報を作成して表示する手段は、患者又は被介護者の一覧表示画面に表示される複数の患者又は被介護者のうち、前記読み出された患者又は被介護者を他の患者又は被介護者よりも強調して表示することを特徴とする請求項１記載のナースコール親機。
【請求項６】
前記リスト情報を作成して表示する手段は、表示濃度を異ならせることにより、前記読み出された患者又は被介護者を他の患者又は被介護者よりも強調して表示することを特徴とする請求項５記載のナースコール親機。
【請求項７】
前記リスト情報を作成して表示する手段は、表示色を異ならせることにより、前記読み出された患者又は被介護者を他の患者又は被介護者よりも強調して表示することを特徴とする請求項５記載のナースコール親機。
【発明の詳細な説明】
【技術分野】
【０００１】
この発明は、例えば病院や介護施設で使用されるナースコールシステムにおいて、ナースステーションに設置されるナースコール親機に関する。
【背景技術】
【０００２】
一般に、ナースコールシステムは、各病室に呼出ボタンを有する呼出子機をそれぞれ設置すると共に、ナースステーションにナースコール親機を設置している。そして、患者が呼出ボタンを操作した場合に、呼出子機からナースコール親機へ呼出信号を送信し、ナースコール親機で鳴音を発生したり呼出子機を表すアイコンを変色表示させることにより呼出の発生を報知し、さらに呼出元の患者の氏名や属性等を表示器に表示するように構成されている。
【０００３】
このため看護師は、ナースステーションにおいて上記呼出報知と患者の氏名等により呼出の発生と呼出元の患者を認識することができる。そして、ナースコール親機と呼出元の呼出子機との通話機能を使用して患者の要求を聞き出すことができ、その上で必要な看護処置を実施することができる（例えば、特許文献１を参照。）。
【０００４】
【特許文献１】特許第２８８７５５２号公報
【発明の開示】
【発明が解決しようとする課題】
【０００５】
ところが、一般にこの種のシステムで使用されるナースコール親機は、ナースステーションという医療及び看護の中心をなす場所に設置されているにも拘わらず、患者と看護師との間のコミュニケーション手段として使用されるのみで、その他の用途にはまださほど積極的に活用されていないのが現状である。
【０００６】
例えば、一般に看護師は看護業務の引継ぎに際し、担当する患者のリストを用紙に手書き又は印刷して各看護師に手渡し、さらに患者の容体や注意事項等を記載した連絡メモを作成して手渡すようにしている。このため、患者リストや連絡メモの作成に多くの時間と労力を要し、看護師の負担が大きい。また、引継ごとに多くの用紙が消費され、その分経費が増えるという問題もある。
【０００７】
この発明は上記事情に着目してなされたもので、その目的とするところは、担当する患者又は被介護者のリストを各医療スタッフが簡単かつ明確に確認できるようにし、これにより業務引継時の担当患者又は被介護者の確認を簡単かつ明確に効率良く行うことを可能にしたナースコール親機を提供することにある。
【課題を解決するための手段】
【０００８】
上記目的を達成するためにこの発明に係わるナースコール親機は、患者又は被介護者と当該患者又は被介護者を担当する医療スタッフとの対応関係を表す情報を記憶する担当情報記憶手段を備えている。そして、担当リストの表示指示が医療スタッフの識別情報と共に入力された場合に、この入力された医療スタッフの識別情報をもとに上記担当情報記憶手段から当該医療スタッフが担当する患者又は被介護者を表す情報を読み出し、この読み出された患者又は被介護者を表す情報をもとに医療スタッフが担当する患者又は被介護者のリスト情報を作成して表示するようにしたものである。
【０００９】
したがってこの発明によれば、ナースコール親機において、医療スタッフが自身の識別情報を入力するだけで自身が担当する患者のリスト情報が自動作成されて表示される。このため、例えば看護業務の引継に際し、看護師等の医療スタッフは自身が担当する患者のリストを常に簡単かつ明確に確認できるようになり、これにより看護業務の効率向上を図ることが可能となる。また、引継ごとの用紙の使用量が節約されて経費の節減を図ることもできる。
【００１０】
また、この発明は以下のような各種構成を備えることも特徴とする。  
第１の構成は、患者又は被介護者と当該患者又は被介護者を担当する医療スタッフとの対応関係を指定する情報の入力を受け付ける手段を備え、上記入力された指定情報をもとに上記担当情報記憶手段に記憶されている情報を更新するようにしたものである。この機能を備えることで、医療スタッフは担当リスト情報を必要に応じて手操作により任意に更新することが可能となる。
【００１１】
第２の構成は、医療スタッフのスケジュールを表す情報を記憶する手段と、患者又は被介護者に係わる情報を記憶する手段とを備える場合に、上記記憶された医療スタッフのスケジュールを表す情報及び患者又は被介護者に係わる情報に基づいて、患者又は被介護者と当該患者又は被介護者を担当する医療スタッフとの対応関係を表す情報を作成し、この作成された対応関係を表す情報をもとに上記担当情報記憶手段に記憶されている情報を更新するようにしたものである。
【００１２】
上記対応関係を表す情報の自動作成処理は、予め設定された日時になったとき、或いは前記記憶された医療スタッフのスケジュール及び患者又は被介護者に係わる情報の少なくとも一方が変更になったときに実行されるように構成するとよい。なお、上記対応関係を表す情報の自動作成処理は、医療スタッフによる自動作成指示の入力に応じて実行されるようにしてもよい。
【００１３】
以上のような機能を備えることで、例えば引継時や上記医療スタッフのスケジュール又は患者もしくは被介護者に係わる情報が変更になったときに、担当リスト情報が作成されて担当情報記憶手段の記憶情報が更新される。すなわち、担当リスト情報の自動作成及び更新が行われる。したがって、医療スタッフの業務負担をさらに軽減した上で、常に最適な担当リスト情報を用意することができる。
【００１４】
第３の構成は、リスト情報を作成して表示する際に、患者又は被介護者の一覧表示画面に表示される複数の患者又は被介護者のうち、上記読み出された患者又は被介護者を他の患者又は被介護者よりも強調して表示するようにしたものである。このように構成すると、通常待機画面として表示される患者又は被介護者の一覧表示画面を利用して、医療スタッフごとにその担当する患者のリストを表示することが可能となる。したがって医療スタッフは、日頃見慣れている患者又は被介護者の一覧表示画面上において、担当患者を見誤ることなく簡単かつ正確に把握することができる。  
上記強調表示手段としては、表示濃度を異ならせる手段や表示色を異ならせる手段が使用可能である。
【発明の効果】
【００１５】
要するにこの発明では、患者又は被介護者と当該患者又は被介護者を担当する医療スタッフとの対応関係を表す情報を記憶する担当情報記憶手段を設け、担当リストの表示指示が医療スタッフの識別情報と共に入力された場合に、この入力された医療スタッフの識別情報をもとに上記担当情報記憶手段から当該医療スタッフが担当する患者又は被介護者を表す情報を読み出し、この読み出された患者又は被介護者を表す情報をもとに医療スタッフが担当する患者又は被介護者のリスト情報を作成して表示するようにしている。
【００１６】
したがってこの発明によれば、担当する患者又は被介護者のリストを各医療スタッフが簡単かつ明確に確認できるようになり、これにより引継時の担当患者又は被介護者の確認を簡単かつ明確に効率良く行うことを可能にしたナースコール親機を提供することができる。
【発明を実施するための最良の形態】
【００１７】
図１は、この発明に係わるナースコール親機を含むナースコールシステムの一実施形態を示す概略構成図である。なお、この実施形態では病棟に設置される看護支援用のナースコールシステムを例にとって説明する。
ナースコールシステムは、各病室にそれぞれ設置される病室ユニット１１〜１ｎと、ナースステーションに設置されるセンタ装置としてのナースコール親機２とを備える。これらの病室ユニット１１〜１ｎとナースコール親機２との間はそれぞれ通信線路を介して接続される。またナースコールシステムは、例えば病院内の通信センタに設置されるハンディナースコール主装置３及び構内交換機（ＰＢＸ：Private Branch Exchange）４を備える。ハンディナースコール主装置３には無線ユニット６が接続され、またＰＢＸ４は公衆網５に接続される。
【００１８】
さらに、上記ナースコール親機２は、例えばＬＡＮ（Local Area Network）７を介して看護支援サーバ９に接続される。看護支援サーバ９は、看護支援のための種々情報を記憶し管理する。なお、１０は上記看護支援サーバ９に記憶されたデータをプリントアウトするために使用されるプリンタ、８は上記看護支援サーバ９及びプリンタ１０をＬＡＮ７に接続するためのハブである。
【００１９】
病室ユニット１１〜１ｎは、病室の天井等に設置されたマイクロホン１０１及びスピーカ１０２と、トイレ・浴室用押しボタン１０３と、代表廊下灯１０４と、復旧ボタン１０５とを備え、これらはＩ／Ｏユニット１０６を介して個別情報廊下灯１０７に接続される。また病室ユニット１１〜１ｎは、ハンド型子機１０９及び握り押しボタン１１０を備え、これらは病床の壁に設けられた壁埋め込み型子機１０８を介して上記個別情報廊下灯１０７に接続される。
【００２０】
このうち、握り押しボタン１１０及びトイレ・浴室用押しボタン１０３は患者が看護師を呼び出す際に使用するもので、その操作信号はそれぞれ壁埋め込み型子機１０８又はＩ／Ｏユニット１０６を介して個別情報廊下灯１０７に伝えられる。また、壁埋め込み型子機１０８に設けられた押しボタンが押下された場合にも、操作信号が個別情報廊下灯１０７に伝えられる。個別情報廊下灯１０７は、上記各押しボタンの操作信号を受信すると、自身の表示部に呼出しの発生を表示する。またそれと共に、呼出信号を生成してナースコール親機２へ送信する。呼出信号には、押しボタンの番号またはアドレス情報が挿入される。
【００２１】
マイクロホン１０１とスピーカ１０２、ハンド型子機１０９及び壁埋め込み型子機１０８は、患者が呼出しに対し応答した看護師と通話を行うために使用するもので、その通話信号は通話路を介してナースコール親機２へ送信される。通話路は、ナースコール親機２において看護師が患者の呼出しに対し応答操作することにより確立される。なお、復旧ボタン１０５は上記呼出しをリセットする場合に使用される。
【００２２】
ハンディナースコール主装置３は、例えば構内ＰＨＳ（Personal Handyphone System）対応の交換装置からなるもので、交換制御部やタイムスイッチの他に、複数の内線インタフェースと、局線インタフェースと、保守インタフェースとを備える。各内線インタフェースにはそれぞれ無線ユニット６の無線基地局６１，６２が接続される。無線基地局６１，６２はそれぞれ無線エリアを形成し、この無線エリア内に存在する携帯端末７１〜７ｍに対し無線回線を介して接続される。局線インタフェースには上記ＰＢＸ４が接続される。
【００２３】
ところで、ナースコール親機２は次のように構成される。図２はその機能構成を示すブロック図である。  
すなわち、ナースコール親機２は、制御部として例えばマイクロコンピュータを使用する中央処理ユニット（ＣＰＵ：Central Processing Unit）２０を備える。このＣＰＵ２０には、プログラムメモリ２１及びデータメモリ２２が接続されており、さらに通信インタフェース２３，２４と、ネットワークインタフェース２５と、通話インタフェース２６と、入力表示インタフェース２７がそれぞれ接続されている。
【００２４】
このうち通信インタフェース２３は、ＣＰＵ２０の制御の下、上記各病室ユニット１１〜１ｎとの間で信号の伝送を行う。同様に通信インタフェース２４は、ＣＰＵ２０の制御の下、上記ハンディナースコール主装置３との間で信号の送受信を行う。ネットワークインタフェース２５は、ＣＰＵ２０の制御の下、上記ＬＡＮ７を介して看護支援サーバ９及びプリンタ１０との間で信号の送受信を行う。
【００２５】
通話インタフェース２６には、看護師が患者との間で通話を行うために使用するマイクロホン２６１及びスピーカ２６２が接続されている。通話インタフェース２６は、病室ユニット１１〜１ｎとの間に通話路が形成された状態で、マイクロホン２６１から出力された話者の送話信号を符号化してＣＰＵ２０へ出力すると共に、ＣＰＵ２０から供給された受話データを復号して受話信号を再生し、この受話信号をスピーカ２６２から拡声出力する。またスピーカ２６２は、患者から呼出が発生した時に鳴音やメロディを出力する際にも使用される。
【００２６】
入力表示インタフェース２７には、タッチパネル／表示器２７１が接続される。タッチパネル／表示器２７１は、例えばＣＲＴ又はＬＣＤからなる表示器の表示画面上に透明の感圧シートを貼付したもので、情報の表示機能と入力機能とを併せ持っている。入力表示インタフェース２７は、ＣＰＵ２０から供給された表示情報を上記タッチパネル／表示器２７１に表示すると共に、タッチパネル／表示器２７１において入力された操作情報をＣＰＵ２０に供給する。
【００２７】
データメモリ２２には、患者情報データベース２２ａ及び看護師情報データベース２２ｂが設けられている。  
患者情報データベース２２ａには、患者の識別情報（識別ＩＤ）に対応付けて、病名、容体、検査又は処置のスケジュールとその内容、患者の年齢や性別、体重、体質、性格等を表す個人情報が記憶される。また患者情報データベース２２ａには、患者の識別情報に対応付けて、担当医師及び担当看護師の識別情報（識別ＩＤ）も記憶される。  
看護師情報データベース２２ｂには、看護師の識別情報に対応付けて、看護師の個人情報と共に、看護師の勤務及び業務に関するスケジュール情報が記憶される。
【００２８】
プログラムメモリ２１には、この発明の一実施形態を実現するためのアプリケーション・プログラムとして、担当設定制御プログラム２１ａと、担当患者リスト表示制御プログラム２１ｂが格納されている。  
担当設定制御プログラム２１ａは、タッチパネル／表示器２７１に担当設定画面を表示させ、この担当設定画面における担当患者の設定入力操作に応じて、看護師と当該看護師が担当する患者との対応関係を表す情報を作成し、この作成された対応関係を表す情報を患者情報データベース２２ａに記憶させる。
【００２９】
担当患者リスト表示制御プログラム２１ｂは、タッチパネル／表示器２７１において看護師別担当患者リストの表示指示が入力された場合に、同時に入力された看護師の識別情報をもとに上記患者情報データベース２２ａから当該看護師が担当する患者を検索し、検索された患者を患者一覧画面に表示させる。
【００３０】
次に、以上のように構成されたナースコール親機２による看護師別担当患者リストの設定及び表示動作を説明する。図３はその制御手順とその内容を示すフローチャートである。  
病棟の患者一覧が表示された待受状態においてナースコール親機２のＣＰＵ２０は、ステップ３ａにより担当設定操作を監視すると共に、ステップ３ｂにより担当患者表示操作を監視している。
【００３１】
この状態で、看護師が看護師別の担当患者を設定するべく担当設定ボタンＢ１を押下したとする。そうするとＣＰＵ２０は、ステップ３ａからステップ３ｃに移行してここでタッチパネル／表示器２７１に担当設定画面を表示させる。図４はその一例を示すもので、病棟の看護師リストＬ１及び患者リストＬ２が表示される。
【００３２】
看護師は、この担当設定画面において看護師ごとに当該看護師が担当する患者を設定するための入力操作を行う。例えば、看護師リストＬ１中の任意の看護師をタッチ操作により選択したのち、患者リストＬ２中の任意の患者をタッチ操作により指定する。そして、この状態で設定ボタンＢ３を押下する。そうすると、ＣＰＵ２０はステップ３ｄからステップ３ｅに移行して、上記選択された看護師と指定された患者との対応関係を表す情報を患者情報データベース２２ａに記憶させる。この情報の記憶は、具体的には患者情報データベース２２ａ中の上記指定された患者の識別情報に対応付けて、上記選択された看護師の識別情報を記憶することによりなされる。  
以後同様に、担当設定の終了操作がステップ３ｆで検出されるまで、上記ステップ３ｄ〜ステップ３ｅによる担当設定処理が繰り返し実行される。
【００３３】
一方、上記待受状態において、看護師が自身の担当すべき患者を確認するべく看護師別担当患者の表示ボタンＢ２を押下し、さらに自身の識別情報を入力したとする。そうするとＣＰＵ２０は、ステップ３ｂ及びステップ３ｇからステップ３ｈに移行し、ここで上記入力された看護師の識別情報をもとに患者情報データベース２２ａをアクセスして、当該看護師が担当する患者の識別情報を読み出す。そして、ステップ３ｉにより上記読み出された患者のリストを表す患者一覧表示画面を生成し、この生成された患者一覧表示画面をタッチパネル／表示器２７１に表示させる。
【００３４】
図５はその表示結果の一例を示すもので、担当患者は図中イに示すように通常の表示濃度で表示され、その他の患者については図中ロに示すように通常の表示濃度よりも薄い表示濃度で表示される。したがって看護師は、自身が担当する患者を、日頃待機画面として見慣れている患者一覧表示画面において、違和感なく明確に確認することができる。
【００３５】
上記看護師別担当患者リストを表示するための患者一覧画面が表示された状態で、ＣＰＵ２０はステップ３ｋ及びステップ３ｍでそれぞれ表示終了操作及び表示時間を監視しながら、ステップ３ｊで他の看護師の識別情報の入力操作を監視する。そして、この状態で他の看護師の識別情報が入力されると、ＣＰＵ２０はステップ３ｈに戻って患者情報データベース２２ａから当該看護師が担当する患者の識別情報を読み出す。そして、ステップ３ｉにより上記読み出された患者のリストを表す患者一覧画面情報を生成し、この生成された患者一覧画面情報をタッチパネル／表示器２７１に表示させる。以後同様に、その他の看護師の識別情報が入力されるごとに、当該看護師が担当する患者のリストを表す患者一覧画面情報が生成され表示される。
【００３６】
また、上記看護師別担当患者リストが表示された状態で、表示終了操作が行われるか、或いは表示終了操作が行われないまま表示時間が予め設定した一定時間を経過したとする。そうするとＣＰＵ２０は、看護師別担当患者リストの表示動作を終了し、患者一覧画面が表示される状態、つまり待受画面に復帰する。
【００３７】
以上述べたようにこの実施形態では、ナースコール親機２に、看護師の担当患者を設定するための担当設定制御プログラム２１ａと、担当患者リスト表示制御プログラム２１ｂとをインストールしておき、担当設定画面において看護師の手操作により入力された看護師とその担当患者との対応関係を示す情報を患者情報データベース２２ａに記憶する。そして、看護師別担当患者の表示指示操作が行われた場合に、患者情報データベース２２ａから当該看護師が担当する患者の識別情報を読み出し、この読み出された患者のリストを表す患者一覧画面情報をタッチパネル／表示器２７１に表示するようにしている。
【００３８】
したがって、ナースコール親機２において、看護師が自身の識別情報を入力するだけで自身が担当する患者のリスト情報が自動作成されて表示される。このため、例えば看護業務の引継に際し、看護師は自身が担当する患者のリストを簡単かつ明確に確認できるようになり、これにより看護業務の効率向上を図ることが可能となる。また、引継ぎごとの用紙の使用量が節約されて経費の節減を図ることも可能となる。
【００３９】
さらに、看護師の手操作による看護師別担当患者情報の設定機能を備えたことにより、看護師は必要に応じて任意に設定情報を更新することができる。また、待機画面として使用される患者一覧表示画面において、担当患者とその他の患者の表示濃度を相互に異ならせることにより看護師別担当患者リストを表示するようにしたので、看護師は自身が担当する患者を日頃見慣れている患者一覧表示画面において違和感なく明確に確認することができる。
【００４０】
なお、この発明は上記実施形態に限定されるものではない。例えば、前記実施形態では担当患者を通常の表示濃度で表示し、その他の患者を通常の表示濃度よりも薄い表示濃度で表示するようにした。しかし、それに限らず担当患者とその他の患者の表示色を相互に異ならせるようにしてもよく、また個々の患者の表示エリアサイズを異ならせるようにしてもよい。さらに、担当患者にのみ担当患者であることを示すアイコン又はマークを表示するようにしてもよい。
【００４１】
また、前記実施形態では、看護師の手操作により看護師別担当患者情報を作成し更新する場合を例にとって説明した。しかし、それに限るものではなく、看護師別担当患者情報の作成及び更新処理がナースコール親機において自動的に実行されるように構成してもよい。
【００４２】
これは、例えば看護師情報データベース２２ｂに記憶された看護師のスケジュール情報と、患者情報データベース２２ａに記憶された入院患者に係わる情報とに基づいて、患者とその担当看護師との対応関係を表す情報を作成し、この作成された対応関係を表す情報をもとに患者情報データベース２２ａに記憶されている情報を更新することにより実現できる。
【００４３】
上記対応関係を表す情報の自動作成処理は、予め設定された日時になったとき、例えば看護師が担当リストの自動更新指示を入力したとき、看護業務の引継時刻の一定時間前になったとき、或いは看護師のスケジュール情報及び患者に係わる情報の少なくとも一方が変更になったときに、実行されるように構成するとよい。
【００４４】
このように構成することで、例えば看護業務の引継時や看護師のスケジュール情報又は患者に係わる情報が変更になったときに、患者情報データベース２２ａに記憶される看護師別担当患者リストが自動更新される。したがって、看護師の業務負担をさらに軽減した上で、看護師のスケジュールや患者の容体等に応じた最適な看護師別担当患者リストを常に用意することができる。
【００４５】
さらに、上記したように看護師のスケジュール情報と患者に係わる情報とに基づいて自動作成された看護師別担当患者リストを一旦タッチパネル／表示器２７１に表示し、この表示データに対し看護師が手操作により部分修正を行えるようにする機能を、ナースコール親機に備えるようにしてもよい。
【００４６】
さらに、携帯端末７１〜７ｍからナースコール親機２に対し看護師別担当患者リストの送信要求を送り、この送信要求に応じてナースコール親機において該当する看護師が担当する患者のリストを作成し、この作成されたリストを要求元の携帯端末７１〜７ｍへ送信し表示させるようにしてもよい。このようにすると、看護師はナースステーション外からも自身が担当する患者のリストを確認することが可能となる。
【００４７】
さらに前記実施形態では、患者情報データベース２２ａ及び看護師情報データベース２２ｂをナースコール親機２に設けた場合を例にとって説明した。しかしそれに限らず、患者情報データベース２２ａ及び看護師情報データベース２２ｂを看護支援サーバ９に設け、ナースコール親機２が看護支援サーバ９の上記患者情報データベースをアクセスすることにより看護師が担当する患者の識別情報を取得し、この取得された患者の識別情報をもとに看護師別担当患者リストを作成して表示するようにしてもよい。
【００４８】
その他、ナースコール親機の構成や、担当設定制御及び担当患者リストの制御手順とその制御内容、看護師別担当患者リストの表示手段等についても、この発明の要旨を逸脱しない範囲で種々変形して実施可能である。
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００４９】
【図１】この発明に係わるナースコール親機を含むナースコールシステムの一実施形態を示す概略構成図。
【図２】図１に示したシステムにおけるナースコール親機の機能構成を示すブロック図。
【図３】図２に示したナースコール親機による看護師別担当患者リストの設定及び表示制御手順とその制御内容を示すフローチャート。
【図４】図２に示したナースコール親機における担当設定画面の表示例を示す図。
【図５】図２に示したナースコール親機における看護師別担当患者リストの表示画面の表示例を示す図。
【符号の説明】
【００５０】
１１〜１ｎ…病室ユニット、２…ナースコール親機、３…ハンディナースコール主装置、４…構内交換機（ＰＢＸ）、５…公衆網、６…無線ユニット、７…ＬＡＮ、８…ハブ、９…看護支援サーバ、１０…プリンタ、２０…中央処理ユニット（ＣＰＵ）、２１…プログラムメモリ、２１ａ…担当設定制御プログラム、２１ｂ…担当患者リスト表示制御プログラム、２２…データメモリ、２２ａ…患者情報データベース、２２ｂ…看護師情報データベース、２３，２４…通信インタフェース、２５…ネットワークインタフェース、２６…通話インタフェース、２６１…マイクロホン、２６２…スピーカ、２７…入力表示インタフェース、２７１…タッチパネル／表示器、６１，６２…無線基地局、７１〜７ｍ…携帯端末、１０１…スピーカ、１０２…マイクロホン、１０３…トイレ・浴室用押しボタン、１０４…代表廊下灯、１０５…復旧ボタン、１０６…Ｉ／Ｏユニット、１０７…個別情報廊下灯、１０８…壁埋め込み型子機、１０９…ハンド型子機、１１０…握り押しボタン。
【図１】
2005244581.tif 000003
【図２】
2005244581.tif 000004
【図３】
2005244581.tif 000005
【図４】
2005244581.tif 000006
【図５】
2005244581.tif 000007